(57)【要約】      （修正有）【課題】発光輝度を直接調整可能な調光ランプソケットを提供する。【解決手段】調光ランプソケット２は、調光ランプソケット内に組み付ける回路板２４上に、調光可能省エネ蛍光灯及び調光可能ＬＥＤ電球と対応して使用されるスイッチ及び調光回路２４０を設置する。調光可能省エネ蛍光灯及び調光可能ＬＥＤ電球を直接取り付けて使用可能で、ランプソケット上で発光輝度を直接調整可能である。【選択図】図３
0003202271.tif 000002
【実用新案登録請求の範囲】
【請求項１】
調光ランプソケットであって、ソケット体、口筒、カバー蓋、底台、回路板及びダイヤルからなり、
前記ソケット体は、円盤状を呈し、両側にそれぞれ位置する一組の穿設孔及び中央に位置する穿槽を有し、
前記口筒頂点面中央には、直向穿槽を開設し、両側の側面体上には、穿設孔をそれぞれ設置し、前記ソケット体の穿設孔と相互に対応し、前記口筒の下方へと延伸する壁体は、ネジヤマ槽壁で、
前記カバー蓋は円弧状のカバー体で、底部に近い位置に外突出リングを有し、その底には接合用の外ネジヤマを設置し、頂点部中央には、穿置孔を有し、前記カバー蓋底部は、内部へと通入する開孔で、リング壁上には、穿置槽を開設し、
前記底台は、縦方向に貫通する環状物件で、底部は、外殼で、上方には、拡大外径の螺接リングを形成し、前記外殼と前記螺接リングとの接続位置には、環状段階面を形成し、前記螺接リングの内面には、接合用の内ネジヤマを設置し、
前記回路板一側面上には、スイッチ及び調光回路を設置し、前記スイッチ及び調光回路は、片側に向かいさらにダイヤルを設置し、前記回路板頂点縁には、一組の電源接続螺合部材を設置し、前記各電源接続螺合部材と前記スイッチ及び調光回路との間には、電気的連接を有し、前記回路板底縁上には、第一導電片及び第二導電片を接続し、前記第一導電片は、湾曲状を呈し、これにより水平部分は外へ向かい、その先端上には、接合孔を開設し、前記第二導電片は、９０度を超える湾曲を呈し、湾曲後の斜向部分は下方へと斜向し、前記斜向部分の底端に近い中央位置には、導電突出点を形成し、前記第一導電片及び前記第二導電片と前記スイッチ及び調光回路との間は、電気的連接を備え、
前記回路板は、直立式で前記ソケット体上に設置され、これにより前記第一導電片水平部分上の接合孔は、前記ソケット体上の一つの穿設孔に対応し、前記第二導電片の斜向部分は、前記ソケット体上の中央に位置する穿槽を通過して設置され、同時に前記口筒を前記ソケット体底部に設置し、これにより前記第二導電片の斜向部分は、前記直向穿槽内から下方へと斜めに伸び出し、しかもこれにより前記口筒の穿設孔と前記ソケット体の穿設孔とは対応して密着し、一組の接合部材のうちの一つの接合部材により、前記第一導電片の接合孔及び前記ソケット体の穿設孔及び前記口筒の穿設孔を通過した後、固接され、もう一つの接合部材は、前記ソケット体のもう一つの穿設孔及び前記口筒のもう一つの穿設孔を通過した後、固接され、続いて前記組み立て体を、前記回路板を上向きにし、前記カバー蓋底部の開孔から挿入し、前記回路板上のスイッチ及び調光回路に設置するダイヤルは、前記カバー蓋の穿置槽に沿って進入し、続いて前記底台を、その開孔により下から上へと口筒及びソケット体外部に被せて設置し、前記螺接リングの内ネジヤマと前記カバー蓋底部の外ネジヤマにより、前記カバー蓋の外突出リングと前記底台の環状段階面が前記ソケット体を挟持するまで、徐々に噛み合わせて接合することを特徴とする調光ランプソケット。
【請求項２】
前記回路板頂点縁にはまず、導電片を設置し、次に、前記電源接続螺合部材を、前記導電片上に螺合接続することを特徴とする請求項１に記載の調光ランプソケット。
【考案の詳細な説明】
【技術分野】
【０００１】
本考案は調光ランプソケットに関し、特に組み付ける回路板上に、調光可能省エネ蛍光灯及び調光可能ＬＥＤ電球と対応して使用されるスイッチ及び調光回路を設置し、これにより調光可能省エネ蛍光灯及び調光可能ＬＥＤ電球を直接取り付けて使用可能な調光ランプソケットに関する。
【背景技術】
【０００２】
「ランプソケット（ＬａｍｐＨｏｌｄｅｒ）」は発光部材（例えば、白熱電球）を組み立て及び支える器物である。
従来のランプソケットは、電流をオン（ＯＮ）及びオフ（ＯＦＦ）する作用を備えるが、発光部材の輝度の強弱を調整することはできなかった。
【０００３】
省エネ、二酸化炭素削減意識の高まりに従い、多くの使用者がランプソケットの省エネ性について様々なニーズを持つようになっている。
これら市場ニーズに応えるため、調光可能なランプソケットが開発された。
【０００４】
従来の調光ランプソケットは、電圧或いは電気抵抗を変える手段により、発光部材の輝度を調整するものである。
しかし、この種の調光方式は、消費電力が比較的高い白熱電球にのみ適用可能で、輝度が比較的高く、しかも省エネ効果が良好な省エネ蛍光灯或いはＬＥＤ電球に適用することはできない。
【０００５】
テクノロジーの進歩に従い、発光部材も日進月歩の進歩を遂げており、現在では調光可能省エネ蛍光灯及び調光可能ＬＥＤ電球が開発されている。
それらは、省エネ蛍光灯及びＬＥＤ電球内に、輝度を変えられるメカニズムをすでに取り付けてはいるが、前記従来の調光ランプソケットは、新しいテクノロジーの調光可能省エネ蛍光灯及び調光可能ＬＥＤ電球と対応させて使用することはできない。
よって、調光可能省エネ蛍光灯及び調光可能ＬＥＤ電球に対して使用可能な調光ランプソケットを別に開発し、適用性を拡大し、消費者ニーズに応えなければならない。
【考案の概要】
【考案が解決しようとする課題】
【０００６】
本考案の目的は、調光可能省エネ蛍光灯及び調光可能ＬＥＤ電球を直接接合させて使用でき、直接調光効果を達成できる調光ランプソケットを提供することにある。
【課題を解決するための手段】
【０００７】
本考案による調光ランプソケットは、ソケット体、口筒、カバー蓋、底台、回路板及びダイヤルからなる。
該ソケット体は、円盤状を呈し、両側にそれぞれ位置する一組の穿設孔及び中央に位置する穿槽を有する。
該口筒頂点面中央には、直向穿槽を開設し、両側の側面体上には、穿設孔をそれぞれ設置し、該ソケット体の穿設孔と相互に対応する。
該口筒の下方へと延伸する壁体は、ネジヤマ槽壁である。
該カバー蓋は円弧状のカバー体で、底部に近い位置に外突出リングを有し、その底には接合用の外ネジヤマを設置し、頂点部中央には、穿置孔を有する。
該カバー蓋底部は、内部へと通入する開孔で、リング壁上には、穿置槽を開設する。
該底台は、縦方向に貫通する環状物件で、底部は、外殼で、上方には、拡大外径の螺接リングを形成する。
該外殼と該螺接リングとの接続位置には、環状段階面を形成し、該螺接リングの内面には、接合用の内ネジヤマを設置する。
該回路板の片側面上には、スイッチ及び調光回路を設置する。
該スイッチ及び調光回路は、片側に向かいさらにダイヤルを設置し、該回路板頂点縁には、一組の電源接続螺合部材を設置する。
該各電源接続螺合部材と該スイッチ及び調光回路との間には、電気的連接を有する。
該回路板底縁上には、第一導電片及び第二導電片を接続し、該第一導電片は、湾曲状を呈し、これにより水平部分は外へ向かい、その先端上には、接合孔を開設し、該第二導電片は、９０度を超える湾曲を呈し、湾曲後の斜向部分は下方へと斜向し、前記斜向部分の底端に近い中央位置には、導電突出点を形成し、該第一導電片及び該第二導電片と該スイッチ及び調光回路との間は、電気的連接を備える。
【０００８】
本考案による調光ランプソケットにおいて、該回路板は、直立式で該ソケット体上に設置され、これにより該第一導電片水平部分上の接合孔は、該ソケット体上の一つの穿設孔に対応し、該第二導電片の斜向部分は、前記ソケット体上の中央に位置する穿槽を通過して設置され、同時に該口筒を該ソケット体底部に設置する。
これにより、該第二導電片の斜向部分は、該直向穿槽内から下方へと斜めに伸び出し、しかもこれにより該口筒の穿設孔と該ソケット体の穿設孔とは対応して密着し、一組の接合部材のうちの一つの接合部材により、該第一導電片の接合孔及び該ソケット体の穿設孔及び該口筒の穿設孔を通過した後、固接され、もう一つの接合部材は、該ソケット体のもう一つの穿設孔及び該口筒のもう一つの穿設孔を通過した後、固接される。
続いて、該組み立て体を、回路板を上向きにし、該カバー蓋底部の開孔から挿入する。
該回路板上のスイッチ及び調光回路に設置するダイヤルは、該カバー蓋の穿置槽に沿って進入する。
次に、該底台を、その開空により下から上へと口筒及びソケット体外部に被せて設置し、該螺接リングの内ネジヤマと該カバー蓋底部の外ネジヤマにより、該カバー蓋の外突出リングと該底台の環状段階面が該ソケット体を挟持するまで、徐々に噛み合わせて接合する。
【０００９】
本考案による調光ランプソケットにおいて、該回路板頂点縁にはまず、導電片を設置し、次に、前記電源接続螺合部材を、前記導電片上に螺合接続する。
【考案の効果】
【００１０】
本考案は、調光可能省エネ蛍光灯及び調光可能ＬＥＤ電球を直接接合させて使用でき、直接調光効果を達成することができる。
【図面の簡単な説明】
【００１１】
【図１】本考案実施形態の俯視角度の外観立体図である。
【図２】本考案実施形態の仰視角度の外観立体図である。
【図３】本考案実施形態の立体分解図である。
【図４】本考案実施形態によるおける回路板及びダイヤルとソケット体及び口筒の組み立て立体図である。
【図５】本考案実施形態による回路板及びダイヤルとソケット体の組み立て立体図である。
【考案を実施するための形態】
【００１２】
図１〜図３に示す通り、本考案実施形態による調光ランプソケット２は、ソケット体２０、口筒２１、カバー蓋２２、底台２３、回路板２４及びダイヤル２５からなる。
【００１３】
図４に示す通り、ソケット体２０上回路板２４を接続して設置する。
ソケット体２０は、円盤状を呈し、両側にそれぞれ位置する一組の穿設孔２００及び中央に位置する穿槽２０１を有する（図３参照）。
【００１４】
回路板２４は、直立式で、片側面上には、スイッチ及び調光回路２４０を設置する。
しかも、スイッチ及び調光回路２４０は、片側に向かいダイヤル２５を設置し、スイッチ及び調光回路２４０は、回路板２４上に直接取り付け、さらに外側へ向かいダイヤル２５を設置する。
回路板２４頂点縁には、一組の電源接続螺合部材２４１を設置する。
電源接続螺合部材２４１は、導電片２４２と回路板２４とをまず接続（例えば、リベット接続）し、次に電源接続螺合部材２４１を導電片２４２上に螺接する方式を採用する。
これにより、各電源接続螺合部材２４１と回路板２４上のスイッチ及び調光回路２４０との間には、電気的連接を有する。
【００１５】
回路板２４底縁上には別に、第一導電片２４３及び第二導電片２４４を接続（例えば、リベット接続）する。
各第一導電片２４３及び該第二導電片２４４と回路板２４上のスイッチ及び調光回路２４０との間には、電気的連接を有する。
第一導電片２４３は、ほぼ９０度の湾曲を呈し、これにより湾曲後の水平部分は外に向かい（図４参照）、その先端には、接合孔２４３１を開設し、ソケット体２０上のうちの一つの穿設孔２００に対応する。
第二導電片２４４は、９０度を超える湾曲を呈し、ソケット体２０上の中央に位置する穿槽２０１を通過し、これにより湾曲後の斜向部分は下方へと斜向し、斜向部分の底端に近い中央位置には、導電突出点２４４１を形成する（図２、図５参照）。
【００１６】
図３、図４に示す通り、口筒２１頂点面中央には、直向穿槽２１１を開設し、両側の側面体上には、穿設孔２１２をそれぞれ設置し、ソケット体２０の穿設孔２００と相互に対応する。
口筒２１の下方へと延伸する壁体は、ネジヤマ槽壁２１３である。
【００１７】
組み立て時には、口筒２１をソケット体２０底部に設置し、これにより第二導電片２４４湾曲後の斜向部分は、直向穿槽２１１内から下方へと斜めに伸び出す（図２、図５参照）。
しかも、これにより各穿設孔２１２とソケット体２０の穿設孔２００とは、対応して密着し、そのうちの一つの穿設孔２１２は同時に第一導電片２４３の接合孔２４３１と対応して密着する。
続いて、一組の接合部材２４５（例えば、リベット）のうちの一つの接合部材２４５により、接合孔２４３１、穿設孔２００及び穿設孔２１２を通過後、接続して設置する（例えば、リベット接続）。
もう一つの接合部材２４５は、穿設孔２００及び穿設孔２１２を通過後、接続して設置（例えば、リベット接続）される。
こうして、回路板２４、ダイヤル２５、ソケット体２０及び口筒２１の組み立てを完成させ、図４に示す状態とする。
【００１８】
図１、図３に示す通り、カバー蓋２２は円弧状のカバー体で、底部に近い位置に外突出リング２２１を有し、底部には、接合用の外ネジヤマ２２２を設置し、頂点部中央には、穿置孔２２３を有する。
カバー蓋２２底部は、内部へと通入する開孔で、リング壁上には、穿置槽２２５を開設する（図１参照）。
【００１９】
図３に示す通り、底台２３は、縦方向に貫通する環状物件で、底部は、外殼２３０で、上方には、拡大外径の螺接リング２３３を形成する。
外殼２３０と螺接リング２３３との接続位置には、環状段階面２３１を形成し、螺接リング２３３の内面には、接合用の内ネジヤマ２３２を設置する。
【００２０】
組み立て時には、回路板２４、ダイヤル２５、ソケット体２０及び口筒２１により完成された組み立て体を、回路板２４を上向きにし、カバー蓋２２底部の開孔から挿入する。
その過程においては、回路板２４のスイッチ及び調光回路２４０に設置するダイヤル２５は、穿置槽２２５に沿って進入する。
続いて、底台２３を、その開孔により下から上へと口筒２１及びソケット体２０外部に被せて設置し、螺接リング２３３内面の内ネジヤマ２３２とカバー蓋２２底部の外ネジヤマ２２２を徐々に噛み合わせて接合する。
最後に、カバー蓋２２の外突出リング２２１と底台２３の環状段階面２３１とは、ソケット体２０を共同で挟持する。
こうして、調光ランプソケット２全体の組み立てを完成させる。
【００２１】
使用前には、電源コード（例えば、市内電源に接続）をカバー蓋２２の穿置孔２２３から挿入し、先端を露出端に処理後、回路板２４上の電源接続螺合部材２４１とそれぞれ螺合接続し、電源を回路板２４上のスイッチ及び調光回路２４０内へと導入する。
スイッチ及び調光回路２４０を作動させると、第一導電片２４３及び第二導電片２４４に通電し、使用を待つばかりとなる。
第一導電片２４３は、電極を、そのうちの一つの接合部材２４５を経て、口筒２１上に導入し使用に備え、第二導電片２４４は、口筒２１の直向穿槽２１１内にとどまり、しかも第二導電片２４４と口筒２１との間には、間隔を備え、接触しない。
【００２２】
使用時には、頂端に螺旋頭を備える調光可能ＬＥＤ電球を、その螺旋頭を口筒２１に対応させて挿入して設置し、調光可能ＬＥＤ電球の螺旋頭頂端が、第二導電片２４４の導電突出点２４４１に接触し、確実に導通するまで、口筒２１のネジヤマ槽壁２１３と螺接合し接触させる。
この時、調光可能ＬＥＤ電球は、口筒２１及び導電突出点２４４１と電気的連接を達成し、つまり調光可能ＬＥＤ電球はスイッチ及び調光回路２４０と電気的連接を達成する。
よって、ダイヤル２５を回せば、調光可能ＬＥＤ電球をオンとし点灯でき、ダイヤル２５を回し続ければ、調光可能ＬＥＤ電球をさらに点灯させることができる。
その作用は、回路板２４に調光可能なスイッチ及び調光回路２４０を取り付けるためで、ダイヤル２５を回すことで、設置する調光可能ＬＥＤ電球の輝度を直接調整することができる。
【００２３】
以上の説明によりわかるように、本考案は調光ランプソケット内に組み付ける回路板上に、調光可能省エネ蛍光灯及び調光可能ＬＥＤ電球と対応して使用されるスイッチ及び調光回路を設置するため、調光可能省エネ蛍光灯及び調光可能ＬＥＤ電球を直接取り付けて使用可能で、ランプソケット上で発光輝度を直接調整可能な使用効果を達成することができる。
【符号の説明】
【００２４】
２  調光ランプソケット
２０  ソケット体
２００  穿設孔
２０１  穿槽
２１  口筒
２１１  直向穿槽
２１２  穿設孔
２１３  ネジヤマ槽壁
２２  カバー蓋
２２１  外突出リング
２２２  外ネジヤマ
２２３  穿置孔
２２５  穿置槽
２３  底台
２３０  外殼
２３１  環状段階面
２３２  内ネジヤマ
２３３  螺接リング
２４  回路板
２４０  スイッチ及び調光回路
２４１  電源接続螺合部材
２４２  導電片
２４３  第一導電片
２４３１  接合孔
２４４  第二導電片
２４４１  導電突出点
２４５  接合部材
２５  ダイヤル
【図１】
0003202271.tif 000003
【図２】
0003202271.tif 000004
【図３】
0003202271.tif 000005
【図４】
0003202271.tif 000006
【図５】
0003202271.tif 000007